(57)【要約】【課題】患者のＸ線撮影画像を記録する記録装置から撮影画像データ又は撮影関連データを取得する。【解決手段】ウェアラブル機器により一定期間毎にカセッテ型ＦＰＤへデータ要求信号が出力される（ステップＳ１）。ウェアラブル機器を装着したＸ線写真撮影者の手がカセッテ型ＦＰＤに接触した場合、すなわち、カセッテ型ＦＰＤからの応答がある場合には（ステップＳ２；ＹＥＳ）、カセッテ型ＦＰＤとウェアラブル機器とのデータ通信が行われ、ウェアラブル機器によりカセッテ型ＦＰＤから撮影関連データ又は撮影画像データが取得される（ステップＳ３）。【選択図】図７
2005124618.tif 000002
【特許請求の範囲】
【請求項１】
患者のＸ線撮影画像を記録する記録媒体が内蔵された筐体に、前記Ｘ線撮影画像に関連する撮影関連データを記憶する記憶手段、データの送受信を行う第１の通信手段、及び、この第１の通信手段に電気的に接続され人体に接触可能な第１の電極が設けられた持ち運び可能な記録装置と、
前記第１の通信手段との間でデータの送受信を行う第２の通信手段、及び、この第２の通信手段に電気的に接続され人体に接触可能な第２の電極が設けられたウェアラブル機器と、
を備え、
前記第１の電極から前記第２の電極へ、人体を伝送路として、前記記録媒体からのＸ線撮影画像データ又は前記記憶手段からの撮影関連データを伝送するように構成したことを特徴とするＸ線写真撮影者支援システム。
【請求項２】
請求項１に記載のＸ線写真撮影者支援システムにおいて、
前記撮影関連データは、撮影される患者名、撮影部位、撮影者、撮影日時を含むことを特徴とするＸ線写真撮影者支援システム。
【請求項３】
請求項１又は２に記載のＸ線写真撮影者支援システムにおいて、
前記ウェアラブル機器は、前記Ｘ線撮影画像データ若しくは前記撮影関連データを表示する表示部、又は、前記撮影関連データを音声出力する音声出力部を備えたことを特徴とするＸ線写真撮影者支援システム。
【請求項４】
請求項３に記載のＸ線写真撮影者支援システムにおいて、
前記ウェアラブル機器は、前記記録装置が未撮影である場合に、前記記録装置が未撮影であることを表示又は音声出力することを特徴とするＸ線写真撮影者支援システム。
【請求項５】
請求項１〜４のいずれか一項に記載のＸ線写真撮影者支援システムにおいて、
前記ウェアラブル機器は、同一の人体に装着された他のウェアラブル機器と、人体を伝送路として、データの送受信を行うことを特徴とするＸ線写真撮影者支援システム。
【請求項６】
請求項１〜５のいずれか一項に記載のＸ線写真撮影者支援システムにおいて、
前記記録装置は、人体又は空中を伝送路として、データの送受信に必要な電力を前記ウェアラブル機器から供給されることを特徴とするＸ線写真撮影者支援システム。
【請求項７】
請求項１〜６のいずれか一項に記載のＸ線写真撮影者支援システムにおいて、
前記ウェアラブル機器は、腕時計、ヘッドマウントディスプレイ、ヘッドフォン又は人体に装着可能に構成されたＰＤＡであることを特徴とするＸ線写真撮影者支援システム。
【発明の詳細な説明】
【技術分野】
【０００１】
本発明は、Ｘ線写真を撮影する撮影者を支援するためのＸ線写真撮影者支援システムに関する。
【背景技術】
【０００２】
従来、医療の分野においては、患者を撮影した医用画像のデジタル化が実現されており、コンピュータ放射線画像撮影装置（Computed Radiography；以下、ＣＲという。）やフラットパネルディテクタ（Flat Panel Detector；以下、ＦＰＤという。）等の医用画像撮影装置が利用されている。
【０００３】
ＣＲは、支持体上に輝尽性蛍光体層を形成した蛍光体プレートを用いるもので、患者を透過した放射線を蛍光体プレートに吸収させた後、励起光を照射して、蛍光体プレートに吸収された放射線エネルギーを励起させて蛍光として放射させ、この放射された蛍光を光電変換して画像信号を得るものである。蛍光体プレートは持ち運び可能なカセッテに収納されており、カセッテ専用の読取装置（リーダ）によって画像の読み取りを行う。
【０００４】
Ｘ線写真撮影者は、撮影対象となる患者名や撮影部位等を把握しておく必要がある。例えば、予め患者名や撮影部位等を示すバーコードをカセッテに付しておき、このバーコードを読み取ることにより、患者名や撮影部位等を確認する。また、これらの情報がカセッテ内の記憶装置に記憶され、リーダにより読み取られる場合もある。いずれにせよ、撮影者が患者名や撮影部位等の情報を取得するためには、バーコードの読取装置やリーダが設置されている場所まで行かなければならず、確認のための時間がかかり、作業遅延の原因となるおそれがある。
【０００５】
他の通信方法として、無線ＬＡＮ（Local Area Network）や赤外線通信等のように、無線によってデータを伝送することも可能であるが、電磁波が周囲に広がり、データの漏洩が起こり得るため、セキュリティレベルが低下してしまう。
【０００６】
そこで、より簡易で安全な方法を用いて情報を伝送することが期待される。例えば、人体に接触している送信装置から受信装置へ人体を介して情報を伝送する技術が提案されている（例えば、特許文献１参照。）。
【特許文献１】特開２００３−３７５６６号公報
【発明の開示】
【発明が解決しようとする課題】
【０００７】
しかし、上記特許文献１に開示された情報伝送システムにおいては、人体を伝送路とした通信方法を、Ｘ線写真撮影に用いるカセッテに適用するという記述はなかった。
【０００８】
本発明は上記の従来技術における問題に鑑みてなされたものであって、患者のＸ線撮影画像を記録する記録装置から撮影画像データ又は撮影関連データを取得することができるＸ線写真撮影者支援システムを提供することを課題とする。
【課題を解決するための手段】
【０００９】
請求項１に記載の発明は、患者のＸ線撮影画像を記録する記録媒体が内蔵された筐体に、前記Ｘ線撮影画像に関連する撮影関連データを記憶する記憶手段、データの送受信を行う第１の通信手段、及び、この第１の通信手段に電気的に接続され人体に接触可能な第１の電極が設けられた持ち運び可能な記録装置と、前記第１の通信手段との間でデータの送受信を行う第２の通信手段、及び、この第２の通信手段に電気的に接続され人体に接触可能な第２の電極が設けられたウェアラブル機器と、を備え、前記第１の電極から前記第２の電極へ、人体を伝送路として、前記記録媒体からのＸ線撮影画像データ又は前記記憶手段からの撮影関連データを伝送するように構成したことを特徴としている。
【００１０】
請求項２に記載の発明は、請求項１に記載のＸ線写真撮影者支援システムにおいて、前記撮影関連データは、撮影される患者名、撮影部位、撮影者、撮影日時を含むことを特徴としている。
【００１１】
請求項３に記載の発明は、請求項１又は２に記載のＸ線写真撮影者支援システムにおいて、前記ウェアラブル機器は、前記Ｘ線撮影画像データ若しくは前記撮影関連データを表示する表示部、又は、前記撮影関連データを音声出力する音声出力部を備えたことを特徴としている。
【００１２】
請求項４に記載の発明は、請求項３に記載のＸ線写真撮影者支援システムにおいて、前記ウェアラブル機器は、前記記録装置が未撮影である場合に、前記記録装置が未撮影であることを表示又は音声出力することを特徴としている。
【００１３】
請求項５に記載の発明は、請求項１〜４のいずれか一項に記載のＸ線写真撮影者支援システムにおいて、前記ウェアラブル機器は、同一の人体に装着された他のウェアラブル機器と、人体を伝送路として、データの送受信を行うことを特徴としている。
【００１４】
請求項６に記載の発明は、請求項１〜５のいずれか一項に記載のＸ線写真撮影者支援システムにおいて、前記記録装置は、人体又は空中を伝送路として、データの送受信に必要な電力を前記ウェアラブル機器から供給されることを特徴としている。
【００１５】
請求項７に記載の発明は、請求項１〜６のいずれか一項に記載のＸ線写真撮影者支援システムにおいて、前記ウェアラブル機器は、腕時計、ヘッドマウントディスプレイ、ヘッドフォン又は人体に装着可能に構成されたＰＤＡであることを特徴としている。
【発明の効果】
【００１６】
請求項１に記載の発明によれば、第１の電極と第２の電極との間で、人体を伝送路として、データの送受信を行うので、ウェアラブル機器により、記録装置から撮影画像データ又は撮影関連データを取得することができる。したがって、撮影者は、撮影画像データ又は撮影関連データを簡単に確認することができる。
【００１７】
請求項２に記載の発明によれば、撮影関連データは、撮影される患者名、撮影部位、撮影者、撮影日時を含むので、撮影者は、患者名、撮影部位、撮影者、撮影日時を簡単に確認することができる。
【００１８】
請求項３に記載の発明によれば、ウェアラブル機器は、Ｘ線撮影画像データ若しくは撮影関連データを表示、又は、撮影関連データを音声出力するので、撮影者に撮影関連データや撮影画像データを文字や画像、音声で提供することができる。
【００１９】
請求項４に記載の発明によれば、ウェアラブル機器は、記録装置が未撮影である場合に、記録装置が未撮影であることを表示又は音声出力することができる。
【００２０】
請求項５に記載の発明によれば、ウェアラブル機器は、同一の人体に装着された他のウェアラブル機器と、人体を伝送路として、データの送受信を行うので、複数のウェアラブル機器がデータを共有することができる。
【００２１】
請求項６に記載の発明によれば、記録装置は、人体又は空中を伝送路として、データの送受信に必要な電力をウェアラブル機器から供給されるので、通信に必要な電力を供給するための電源を持つ必要がない。
【００２２】
請求項７に記載の発明によれば、腕時計、ヘッドマウントディスプレイ、ヘッドフォン又は人体に装着可能に構成されたＰＤＡ（Personal Digital Assistants）を用いて、撮影者に撮影画像データや撮影関連データを提供することができる。
【発明を実施するための最良の形態】
【００２３】
以下、図を参照して本発明の実施の形態を詳細に説明する。ただし、発明の範囲は、図示例に限定されない。
【００２４】
［第１の実施の形態］
まず、本発明の第１の実施の形態につき、図１〜図１０を参照して説明する。
図１は、第１の実施の形態のＸ線写真撮影者支援システム１を示す概略図である。
図１に示すように、Ｘ線写真撮影者支援システム１は、記録装置としてのカセッテ型フラットパネルディテクタ（以下、カセッテ型ＦＰＤという。）２と、ウェアラブル機器３と、から構成されている。カセッテ型ＦＰＤ２とウェアラブル機器３とは、人体と接触し、人体を伝送路としてデータの送受信を行う。ウェアラブル機器３とは、人体に装着可能に構成された機器をいい、ここでは、腕時計型（バンド装着型）のウェアラブル機器３を例にして説明する。ウェアラブル機器３には、腕時計としての機能が備えられていてもよい。
【００２５】
図２に、カセッテ型ＦＰＤ２の機能的構成を示す。
図２に示すように、カセッテ型ＦＰＤ２は、筐体に、電源２１、通信部２２、制御部２３、撮像パネル２４、メモリ２５、充電用端子２６、電力受信用アンテナ２７、電極２８、ＰＣ用通信端子２９が設けられ、持ち運び可能に構成されている。
【００２６】
電源２１は、電池又は充電電池により構成され、各部に電力を供給する。電源２１は、カセッテ型ＦＰＤ２の筐体表面に設けられた充電用端子２６により充電を行う。カセッテ型ＦＰＤ２とウェアラブル機器３との通信中においては、電力受信用アンテナ２７により、ウェアラブル機器３から電力の供給を受ける。
【００２７】
通信部２２は、人体を伝送路としてウェアラブル機器３とデータの送受信を行う送信器及び受信器と、ＰＣ（Personal Computer）等との通信を行う通信装置と、から構成される。ＰＣ等との通信は、ＰＣ等を用いてカセッテ型ＦＰＤ２から撮影画像データを読み出す際や、カセッテ型ＦＰＤ２へ撮影関連データを入力する際に行われる。
【００２８】
制御部２３は、図示しないＣＰＵ（Central Processing Unit）、ＲＯＭ（Read Only Memory）等により構成され、通信部２２、撮像パネル２４、メモリ２５を制御する。ＣＰＵは、通信部２２から入力されるデータに従って、ＲＯＭに記憶されている各種プログラムとの協働によって各種処理を実行する。
【００２９】
撮像パネル２４は、照射されたＸ線の強度に応じて発光する蛍光体を主成分とする蛍光体層、蛍光体層により発光された電磁波を電気エネルギーに変換する電荷発生層、電気エネルギーを画素毎に蓄えるコンデンサ、蓄えられた電気エネルギーを信号として出力するためのスイッチング素子から構成され、撮影画像データを生成する。この撮影画像データはメモリ２５に記憶される。
【００３０】
メモリ２５は、ＳＲＡＭ（Static Random Access Memory）やＳＤＲＡＭ（Synchronous Dynamic Random Access Memory）等の揮発性メモリ、又は、フラッシュメモリ等の不揮発性メモリにより構成される。メモリ２５は、撮影に関する撮影関連データや、撮像パネル２４により得られた撮影画像データを記憶する。また、制御部２３において、データの一時保存が必要な場合等にも用いられる。撮影関連データとは、撮影される患者名、撮影部位、撮影者、撮影日時等をいう。
【００３１】
充電用端子２６は、電源２１を充電するためのインターフェースであり、クレードルとのコネクタである。クレードルは、スタンド型の接続機器であって、カセッテ型ＦＰＤ２を載せることによりＰＣ等と接続することができる。
【００３２】
電力受信用アンテナ２７は、ウェアラブル機器３から電力の供給を受けるためのインターフェースであり、カセッテ型ＦＰＤ２の内部又は表面に設けられている。電力受信用アンテナ２７を介してウェアラブル機器３から供給された電力によって、ウェアラブル機器３とデータの送受信が行われる。
【００３３】
電極２８は、カセッテ型ＦＰＤ２の筐体表面に設けられ、通信部２２の送信器及び受信器と電気的に接続されており、人体を伝送路としてウェアラブル機器３とデータの送受信を行うためのインターフェースである。電極２８は、カセッテ型ＦＰＤ２の筐体側面等の画像撮影領域外に設けられ、電極２８に撮影者が接触することにより、データ通信が行われる。
【００３４】
ＰＣ用通信端子２９は、ＰＣ等と接続して通信するためのインターフェースであり、クレードルとのコネクタである。ＰＣ用通信端子２９は、通信部２２のＰＣ等との通信を行う通信装置と接続されている。
【００３５】
次に、ウェアラブル機器３の機能的構成について説明する。
図３に示すように、ウェアラブル機器３は、電源３１、通信部３２、操作部３３、制御部３４、表示部３５、メモリ３６、充電用端子３７、電力送信用アンテナ３８、電極３９、ＰＣ用通信端子４０を備える。
【００３６】
電源３１は、電池又は充電電池により構成され、各部に電力を供給する。電源３１は、ウェアラブル機器３の表面に設けられた充電用端子３７により充電を行う。
【００３７】
通信部３２は、送信器及び受信器から構成され、人体を伝送路としてカセッテ型ＦＰＤ２又は他のウェアラブル機器とデータの送受信を行う。
【００３８】
操作部３３は、各種機能ボタン等により構成され、ボタン操作による押下信号を制御部３４に出力する。表示部３５に表示される内容の切り替えや、表示内容のリセット、強制的に通信を行うとき等に使用する。
【００３９】
制御部３４は、図示しないＣＰＵ、ＲＯＭ等により構成され、通信部３２、操作部３３、表示部３５、メモリ３６を制御する。ＣＰＵは、通信部３２から入力されるデータ又は操作部３３から入力される指示に従って、ＲＯＭに記憶されている各種プログラムとの協働によって各種処理を実行する。
【００４０】
表示部３５は、ＬＣＤ（Liquid Crystal Display）、有機ＥＬ（ElectroLuminescence）等のフラットパネルディスプレイにより構成され、カセッテ型ＦＰＤ２又は他のウェアラブル機器から受信したデータを表示する。
【００４１】
メモリ３６は、ＳＲＡＭやＳＤＲＡＭ等の揮発性メモリ、又は、フラッシュメモリ等の不揮発性メモリにより構成される。メモリ３６は、カセッテ型ＦＰＤ２又は他のウェアラブル機器から受信したデータを記憶する。
【００４２】
充電用端子３７は、電源３１を充電するためのインターフェースである。
【００４３】
電力送信用アンテナ３８は、カセッテ型ＦＰＤ２へ電力を供給するためのインターフェースであり、ウェアラブル機器３の内部又は表面に設けられている。
【００４４】
電極３９は、ウェアラブル機器３の表面に設けられ、通信部３２の送信器及び受信器と電気的に接続されており、人体を伝送路としてカセッテ型ＦＰＤ２又は他のウェアラブル機器とデータの送受信を行うためのインターフェースである。電極３９は、人体にウェアラブル機器３を装着する際に人体と接触する位置に設けられている。
【００４５】
ＰＣ用通信端子４０は、ＰＣ等と接続して通信するためのインターフェースである。
【００４６】
次に、カセッテ型ＦＰＤ２の通信部２２、ウェアラブル機器３の通信部３２に含まれる送信器４、受信器５について説明する。
【００４７】
まず、ウェアラブル機器３における送信器４の機能的構成について説明する。
図４に示すように、送信器４は、電源４０１、信号送信部（電力の送信も含む。）４０２、電力送信部４０３等を備える。
【００４８】
電源４０１は、電池又は充電電池により構成され、各部に電力を供給する。電源４０１は、ウェアラブル機器３の電源３１で代替することとしてもよい。
【００４９】
信号送信部４０２は、メモリ４０４、制御部４０５、搬送波発生源４０６、変調器４０７、バンドパスフィルタ（Band Pass Filter；以下、ＢＰＦという。）４０８、増幅器（Amplifier；以下、ＡＭＰという。）４０９、同調回路４１０を備える。
【００５０】
メモリ４０４は、ウェアラブル機器３の内部における送信器４の外部との接続部４１１から送信器４へ入力されたデータを一時的に保存するためのメモリであって、ＳＲＡＭやＳＤＲＡＭ等の揮発性メモリ、又は、フラッシュメモリ等の不揮発性メモリにより構成される。メモリ４０４は、ウェアラブル機器３のメモリ３６で代替することとしてもよい。
【００５１】
制御部４０５は、通常ＣＰＵ等により構成され、送信器４を制御する。制御部４０５は、メモリ４０４に保存されたデータ又は接続部４１１から入力されたデータを信号処理し、変調器４０７に出力する。制御部４０５は、ウェアラブル機器３の制御部３４で代替することとしてもよい。
【００５２】
搬送波発生源４０６は、データを伝送するための搬送波を発生させる。
【００５３】
変調器４０７は、制御部４０５からのデータに基づいて搬送波を変調し、変調信号をＢＰＦ４０８に出力する。
【００５４】
ＢＰＦ４０８は、変調器４０７から入力された変調信号から、変調器４０７により発生する可能性のあるノイズ（高調波）を除去し、所望の周波数信号のみの変調信号にし、ＡＭＰ４０９に出力する。
【００５５】
ＡＭＰ４０９は、送信される変調信号を増幅し、同調回路４１０に出力する。
【００５６】
同調回路４１０は、共振回路により構成され、ＡＭＰ４０９により増幅された信号から所望の周波数の信号のみを出力するフィルタとして機能する。また、伝送路となる人体とのインピーダンスマッチングをとる効果もあり、効率的に信号を出力することが可能となる。同調回路４１０の出力端子は、ウェアラブル機器３の送信電極３９ａと接続されている。
【００５７】
送信電極３９ａ、ＧＮＤ電極３９ｂ（図３の電極３９）は、ウェアラブル機器３の表面に、人体と接触するようにそれぞれ設けられている。人体を伝送路とするデータ通信は、電気信号が皮膚の表面を伝播することにより行われるから、送信電極３９ａ、ＧＮＤ電極３９ｂは、アンテナの形状を有していてもよい。接地されているＧＮＤ電極３９ｂはなくてもよいが、ＧＮＤ電極３９ｂを設けることにより、信号が人体の表面を効率良く伝送される。
【００５８】
電力送信部４０３は、搬送波発生源４１２、ＢＰＦ４１３、ＡＭＰ４１４、同調回路４１５を備える。電力送信部４０３から出力される信号は、カセッテ型ＦＰＤ２に電力を供給するためのものであるから、データ信号の重畳は行われない。また、送信電極３９ａから送信されるデータ信号と、電力送信部４０３から出力される電力送信用の信号とは、異なる周波数であることとする。なお、カセッテ型ＦＰＤ２の受信器側で、人体を伝送路としたデータ信号から充分な電力供給が得られる場合には、電力送信部４０３がない構成であってもよい。
【００５９】
搬送波発生源４１２は、カセッテ型ＦＰＤ２に電力を供給するための搬送波を発生させる。
【００６０】
ＢＰＦ４１３は、搬送波発生源４１２から入力された搬送波からノイズ（高調波）を除去し、所望の周波数信号のみの信号にし、ＡＭＰ４１４に出力する。
【００６１】
ＡＭＰ４１４は、送信される信号を増幅し、同調回路４１５に出力する。
【００６２】
同調回路４１５は、共振回路により構成され、ＡＭＰ４１４により増幅された信号から所望の周波数の信号のみを出力するフィルタとして機能する。また、伝送路となる空間とのインピーダンスマッチングをとる効果もあり、効率的に電力を送信することができる。同調回路４１５の出力端子は、ウェアラブル機器３の電力送信用アンテナ３８と接続されている。
【００６３】
カセッテ型ＦＰＤ２における送信器４については、ウェアラブル機器３側へ電力を送信する必要がないので、電力送信部４０３がない構成となる。その他の構成についてはウェアラブル機器３における送信器４と同様であるため、説明を省略する。電源４０１、メモリ４０４、制御部４０５については、カセッテ型ＦＰＤ２の電源２１、メモリ２５、制御部２３で代替することとしてもよい。
【００６４】
次に、カセッテ型ＦＰＤ２における受信器５の機能的構成について説明する。
図５に示すように、受信器５は、電源５０１、信号受信部（電力の受信も含む。）５０２、電力受信部５０３等を備える。
【００６５】
受信電極２８ｃ（図２の電極２８）はカセッテ型ＦＰＤ２の表面に、人体と接触するようにそれぞれ設けられている。ＧＮＤ電極２８ｄは、カセッテ型ＦＰＤ２のグラウンドと接続されている。ＧＮＤ電極２８ｄはなくてもよい。
【００６６】
電源５０１は、電池又は充電電池により構成され、各部に電力を供給する。電源５０１は、カセッテ型ＦＰＤ２の電源２１で代替することとしてもよい。
【００６７】
信号受信部５０２は、同調回路５０４、ＡＭＰ５０５、ＢＰＦ５０６、搬送波発生源５０７、復調器５０８、メモリ５０９、制御部５１０を備える。
【００６８】
同調回路５０４は、共振回路により構成され、受信電極２８ｃから入力される受信信号から所望の周波数の信号のみを取り込むフィルタとして機能する。また、伝送路となる人体とのインピーダンスマッチングをとる効果もあり、効率的に信号を受信することが可能となる。
【００６９】
ＡＭＰ５０５は、受信された変調信号を増幅し、ＢＰＦ５０６に出力する。
【００７０】
ＢＰＦ５０６は、ＡＭＰ５０５により増幅された変調信号から、ＡＭＰ５０５により発生する可能性のあるノイズ（高調波）を除去し、所望の周波数信号のみの変調信号にし、復調器５０８に出力する。
【００７１】
搬送波発生源５０７は、通常、受信器５には必要ないが、変調方法によっては、受信した変調信号をもとのデータ信号に変換するために必要な場合がある。
【００７２】
復調器５０８は、受信された変調信号からデータ信号を抽出する。
【００７３】
メモリ５０９は、受信器５により受信され、カセッテ型ＦＰＤ２において接続部５１１から出力されるデータを一時的に保存するためのメモリであって、ＳＲＡＭやＳＤＲＡＭ等の揮発性メモリ、又は、フラッシュメモリ等の不揮発性メモリにより構成される。メモリ５０９は、カセッテ型ＦＰＤ２のメモリ２５で代替することとしてもよい。
【００７４】
制御部５１０は、通常ＣＰＵ等により構成され、受信器５を制御する。制御部５１０は、受信データを信号処理し、その内容をメモリ５０９に格納するか、又は接続部５１１から出力する。制御部５１０は、カセッテ型ＦＰＤ２の制御部２３で代替することとしてもよい。
【００７５】
電力受信部５０３は、同調回路５１２、整流・平滑回路５１３を備える。
【００７６】
同調回路５１２は、共振回路により構成され、電力受信用アンテナ２７により受信した電波から所望の周波数の信号のみを取り込むフィルタとして機能する。また、伝送路となる空間とのインピーダンスマッチングをとる効果もあり、効率的に電力を受信することができる。
【００７７】
整流・平滑回路５１３は、整流回路及び平滑回路により構成され、電力受信用アンテナ２７又は受信電極２８ｃにより受信した信号を整流・平滑し、受信器５及び送信器４（又は送受信器）において利用可能な直流の電流、電圧を得る。これにより、カセッテ型ＦＰＤ２内部に電源を持たない場合にも通信が可能である。なお、人体を伝送路として受信電極２８ｃにより受信されるデータ信号から充分な電力供給が得られる場合には、電力受信用アンテナ２７がない構成であってもよい。この場合、データ信号を受信するための電極と電力供給のための電極が同一であるため、電力供給用の回路の一部やアンテナが不要となり、装置を小型化することができ、コストを削減することができる。
【００７８】
電力受信用アンテナ２７は、受信電極２８ｃからの電力供給が少ない場合に有効であり、人体を伝送されるデータ信号とは別系統から電力を得ることができる。また、電力受信用アンテナ２７及び送信器４における電力送信用アンテナ３８は、人体に接触していない。したがって、通常の無線と同様に空中を経路として、電力の供給を行うことができる。この電力供給用の電波には、データが重畳されていないので、データ漏洩とは無関係である。
【００７９】
ウェアラブル機器３における受信器５については、電力供給が行われないので、電力受信部５０３のない構成となる。その他の構成についてはカセッテ型ＦＰＤ２における受信器５と同様であるため、説明を省略する。電源５０１、メモリ５０９、制御部５１０については、ウェアラブル機器３の電源３１、メモリ３６、制御部３４で代替することとしてもよい。
【００８０】
以上、図４、図５を参照して、送信器４、受信器５についてそれぞれ説明したが、送信器４、受信器５を別体とせずに、図６に示すような、送信機能と受信機能を有する送受信器６を備えることとしてもよい。図６に示すように、送受信器６は、電源４０１（５０１）、同調回路５０４、ＡＭＰ５０５、ＢＰＦ５０６、搬送波発生源４０６（５０７）、復調器５０８、メモリ４０４（５０９）、制御部４０５（５１０）、変調器４０７、ＢＰＦ４０８、ＡＭＰ４０９、同調回路４１０、同調回路５１２、整流・平滑回路５１３、搬送波発生源４１２、ＢＰＦ４１３、ＡＭＰ４１４、同調回路４１５等を備える。送受信器６の構成については、送信器４及び受信器５の構成と同様であるため、同一の構成部分については同一の符号を付し、説明を省略する。送受信器６の場合、送信器、受信器の制御部は、同一のもので兼ねてもよいし、別個に設けてもよい。
【００８１】
次に、Ｘ線写真撮影者支援システム１の動作について説明する。
図７は、Ｘ線写真撮影者支援システム１によって実行される撮影関連データ及び撮影画像データの通信処理を示すフローチャートである。
カセッテ型ＦＰＤ２のメモリ２５には、予め撮影関連データが記憶されている。撮影関連データの登録は、ＰＣ等と接続されているクレードルにカセッテ型ＦＰＤ２を載置した状態で、ＰＣ等からデータを入力することにより行われる。また、カセッテ型ＦＰＤ２のメモリ２５には、患者を撮影して得られた撮影画像データが記憶される。
【００８２】
図７に示すように、ウェアラブル機器３により一定期間毎にカセッテ型ＦＰＤ２へデータ要求信号が出力される（ステップＳ１）。カセッテ型ＦＰＤ２からの応答がない場合には（ステップＳ２；ＮＯ）、再度、ウェアラブル機器３からカセッテ型ＦＰＤ２へデータ要求が行われる（ステップＳ１）。
【００８３】
ウェアラブル機器３を装着したＸ線写真の撮影者の手がカセッテ型ＦＰＤ２の電極２８に接触した場合、すなわち、カセッテ型ＦＰＤ２からの応答がある場合には（ステップＳ２；ＹＥＳ）、カセッテ型ＦＰＤ２とウェアラブル機器３とのデータ通信が行われ、ウェアラブル機器３によりカセッテ型ＦＰＤ２から撮影関連データ及び撮影画像データが取得される（ステップＳ３）。
【００８４】
カセッテ型ＦＰＤ２とウェアラブル機器３とのデータ通信が終了した場合には（ステップＳ４；ＹＥＳ）、ウェアラブル機器３からカセッテ型ＦＰＤ２へデータ受信完了信号が送信される（ステップＳ５）。
【００８５】
データ受信完了処理が終了した場合には（ステップＳ６；ＹＥＳ）、次の撮影関連データ及び撮影画像データの通信処理の待機状態となる。また、データ通信中に、カセッテ型ＦＰＤ２から撮影者の手が離れた場合等、一定期間応答がなく、通信不能になった場合には（ステップＳ４；ＮＯ，ステップＳ６；ＮＯ）、スタートに戻ることとする。
以上で、撮影関連データ及び撮影画像データの通信処理が終了する。
【００８６】
以下、状態遷移図を参照して、各処理の例について、より詳細に説明する。
図８に、データ要求時のウェアラブル機器３及びカセッテ型ＦＰＤ２の状態遷移を示す。
データ要求時には、まず、ウェアラブル機器３から、カセッテ型ＦＰＤ２へＥＮＱ（Enquiry；問い合わせ）が送信される。ここで、ウェアラブル機器３はＡＣＫ（Acknowledge；肯定応答）待ち状態となる。
【００８７】
ウェアラブル機器３を装着したＸ線写真の撮影者がカセッテ型ＦＰＤ２を持つと、カセッテ型ＦＰＤ２によりＥＮＱが受信される。カセッテ型ＦＰＤ２の状態が受信可能である場合には、ウェアラブル機器３にＡＣＫが送信され、データ待ち状態になる。カセッテ型ＦＰＤ２の状態が受信不可能である場合には、ウェアラブル機器３にＮＡＫ（Negative Acknowledge；否定応答）が送信され、カセッテ型ＦＰＤ２は初期状態（状態２）に戻る。
【００８８】
ウェアラブル機器３によりＮＡＫが受信された場合には、カセッテ型ＦＰＤ２にＥＮＱが再送される。ウェアラブル機器３によりＡＣＫが受信された場合には、カセッテ型ＦＰＤ２にデータ要求信号が送信され、ウェアラブル機器３は、ＡＣＫ待ち状態となる。
【００８９】
そして、カセッテ型ＦＰＤ２によりデータ要求信号が受信される。データ要求信号が正常に受信された場合には、ウェアラブル機器３にＡＣＫが送信され、カセッテ型ＦＰＤ２はＥＯＴ（End of Transmission；伝送終了）待ち状態になる。カセッテ型ＦＰＤ２によりデータ要求信号が正常に受信されなかった場合には、ウェアラブル機器３にＮＡＫが送信され、カセッテ型ＦＰＤ２はデータ待ち状態に戻る。
【００９０】
ウェアラブル機器３によりＮＡＫが受信された場合には、カセッテ型ＦＰＤ２にデータ要求信号が再送される。ウェアラブル機器３によりＡＣＫが受信された場合には、カセッテ型ＦＰＤ２にＥＯＴが送信される（状態３）。ここで、ウェアラブル機器３において、データ要求信号を送信したという信号処理が行われる（図９の状態６へ）。
【００９１】
そして、カセッテ型ＦＰＤ２によりＥＯＴが受信される（状態４）。ここで、カセッテ型ＦＰＤ２において、データ要求信号を受信したという信号処理が行われる（図９の状態５へ）。
【００９２】
次に、データ通信時のカセッテ型ＦＰＤ２及びウェアラブル機器３の状態遷移を説明する。
図９に示すように、まず、カセッテ型ＦＰＤ２から、ウェアラブル機器３へＥＮＱが送信され、ウェアラブル機器３はＡＣＫ待ち状態となる。
【００９３】
そして、ウェアラブル機器３によりＥＮＱが受信される。ウェアラブル機器３の状態が受信可能である場合には、カセッテ型ＦＰＤ２にＡＣＫが送信され、データ待ち状態になる。ウェアラブル機器３の状態が受信不可能である場合には、カセッテ型ＦＰＤ２にＮＡＫが送信され、ウェアラブル機器３は状態６に戻る。
【００９４】
カセッテ型ＦＰＤ２によりＮＡＫが受信された場合には、ウェアラブル機器３にＥＮＱが再送される。カセッテ型ＦＰＤ２によりＡＣＫが受信された場合には、ウェアラブル機器３にデータ（撮影関連データ及び撮影画像データ）が送信され、カセッテ型ＦＰＤ２は、ＡＣＫ待ち状態となる。
【００９５】
そして、ウェアラブル機器３によりデータが受信される。データが正常に受信された場合には、カセッテ型ＦＰＤ２にＡＣＫが送信され、ウェアラブル機器３はＥＯＴ待ち状態になる。ウェアラブル機器３によりデータが正常に受信されなかった場合には、カセッテ型ＦＰＤ２にＮＡＫが送信され、ウェアラブル機器３はデータ待ち状態に戻る。
【００９６】
カセッテ型ＦＰＤ２によりＮＡＫが受信された場合には、ウェアラブル機器３にデータが再送される。カセッテ型ＦＰＤ２によりＡＣＫが受信された場合には、ウェアラブル機器３にＥＯＴが送信される（状態７）。ここで、カセッテ型ＦＰＤ２において、データを送信したという信号処理が行われる（図１０の状態１０へ）。
【００９７】
そして、ウェアラブル機器３によりＥＯＴが受信される（状態８）。ここで、ウェアラブル機器３において、データを受信したという信号処理が行われる（図１０の状態９へ）。
【００９８】
図１０に、データ受信完了時のウェアラブル機器３及びカセッテ型ＦＰＤ２の状態遷移を示す。
データ受信完了時には、まず、ウェアラブル機器３から、カセッテ型ＦＰＤ２へＥＮＱが送信され、ウェアラブル機器３はＡＣＫ待ち状態となる。
【００９９】
そして、カセッテ型ＦＰＤ２によりＥＮＱが受信される。カセッテ型ＦＰＤ２の状態が受信可能である場合には、ウェアラブル機器３にＡＣＫが送信され、データ待ち状態になる。カセッテ型ＦＰＤ２の状態が受信不可能である場合には、ウェアラブル機器３にＮＡＫが送信され、カセッテ型ＦＰＤ２は状態１０に戻る。
【０１００】
ウェアラブル機器３によりＮＡＫが受信された場合には、カセッテ型ＦＰＤ２にＥＮＱが再送される。ウェアラブル機器３によりＡＣＫが受信された場合には、カセッテ型ＦＰＤ２にデータ受信完了信号が送信され、ウェアラブル機器３は、ＡＣＫ待ち状態となる。
【０１０１】
そして、カセッテ型ＦＰＤ２によりデータ受信完了信号が受信される。データ受信完了信号が正常に受信された場合には、ウェアラブル機器３にＡＣＫが送信され、カセッテ型ＦＰＤ２はＥＯＴ待ち状態になる。カセッテ型ＦＰＤ２によりデータ受信完了信号が正常に受信されなかった場合には、ウェアラブル機器３にＮＡＫが送信され、カセッテ型ＦＰＤ２はデータ待ち状態に戻る。
【０１０２】
ウェアラブル機器３によりＮＡＫが受信された場合には、カセッテ型ＦＰＤ２にデータ受信完了信号が再送される。ウェアラブル機器３によりＡＣＫが受信された場合には、カセッテ型ＦＰＤ２にＥＯＴが送信される（状態１１）。ここで、ウェアラブル機器３において、データ受信完了信号を送信したという信号処理が行われる（図８の状態１へ）。
【０１０３】
そして、カセッテ型ＦＰＤ２によりＥＯＴが受信される（状態１２）。ここで、カセッテ型ＦＰＤ２において、データ受信完了信号を受信したという信号処理が行われる（図８の状態２へ）。
【０１０４】
ウェアラブル機器３により取得された撮影関連データや撮影画像データは、ウェアラブル機器３の表示部３５に文字や画像として表示される。撮影者が操作部３３からボタン操作を行うことにより、表示部３５に表示される撮影関連データや撮影画像データを切り替えることができる。ウェアラブル機器３により取得される撮影画像データは、複数画素毎に画素を間引くことにより生成された間引き画像データであってもよい。また、カセッテ型ＦＰＤ２が未撮影である場合には、ウェアラブル機器３の表示部３５にカセッテ型ＦＰＤ２が未撮影であることが表示される。
【０１０５】
第１の実施の形態におけるＸ線写真撮影者支援システム１によれば、カセッテ型ＦＰＤ２と人体とが接触することにより、ウェアラブル機器３は、人体を伝送路としてカセッテ型ＦＰＤ２から撮影関連データや撮影画像データを取得し、それらの情報を表示部３５に表示することができる。したがって、撮影者は、撮影前に患者名、撮影部位、撮影者、撮影日時等の撮影関連データを簡単に確認することができ、撮影対象となる患者や部位を間違えることなく、撮影を行うことができる。また、撮影後に撮影画像データ（間引き画像データを含む。）をその場で確認することができる。
【０１０６】
また、Ｘ線写真撮影者支援システム１では、人体を伝送路としてデータの送受信を行うため、周囲の雑音の影響を受けにくい。さらに、Ｘ線写真撮影者支援システム１では、外部に電磁波を放出しないので、無線ＬＡＮやブルートゥース（Bluetooth）による通信方法と比較して、データの漏洩等、セキュリティ面においてより安全であるとともに、消費電力を低減させることができる。
【０１０７】
なお、ウェアラブル機器３によりカセッテ型ＦＰＤ２から取得されるデータは、予め撮影者の希望に応じて選択できることとしてもよい。
【０１０８】
［第２の実施の形態］
次に、本発明の第２の実施の形態について説明する。
第１の実施の形態に示したＸ線写真撮影者支援システム１では、記録装置としてカセッテ型ＦＰＤ２を用いた例を説明したが、第２の実施の形態におけるＸ線写真撮影者支援システムでは、記録装置としてカセッテ７を用いる。ウェアラブル機器３については、第１の実施の形態のＸ線写真撮影者支援システム１と同様であるため、同一の構成部分については同一の符号を付し、その構成については図示及び説明を省略する。以下、第２の実施の形態に特徴的な構成について説明する。
【０１０９】
図１１に、カセッテ７の機能的構成を示す。
図１１に示すように、カセッテ７は、筐体に、通信部７１、輝尽性蛍光体７２、電力受信用アンテナ７３、電極７４、ＰＣ用通信端子７５が設けられ、持ち運び可能に構成されている。
【０１１０】
通信部７１は、ＣＰＵ、メモリ等を含み、人体を伝送路としてウェアラブル機器３とデータの送受信を行う送信器及び受信器と、ＰＣ等との通信を行う通信装置と、から構成される。送信器、受信器については、図４、図５に示した送信器４、受信器５の構成と同様であるため、説明を省略する。
【０１１１】
輝尽性蛍光体７２は、患者を透過したＸ線を吸収し、Ｘ線潜像を保持する。すなわち、輝尽性蛍光体７２は、Ｘ線撮影画像を記録する記録媒体である。撮影後、リーダを用いて、輝尽性蛍光体７２に励起光を照射して、吸収されたエネルギーを励起させて蛍光として放射させ、この放射された蛍光を光電変換して撮影画像データを得る。
【０１１２】
電力受信用アンテナ７３は、ウェアラブル機器３から電力の供給を受けるためのインターフェースであり、カセッテ７の表面又は内部に設けられている。電力受信用アンテナ７３を介してウェアラブル機器３から供給された電力によって、ウェアラブル機器３とデータの送受信が行われる。
【０１１３】
電極７４は、カセッテ７の筐体表面に設けられ、通信部７１の送信器及び受信器と電気的に接続されており、人体を伝送路としてウェアラブル機器３とデータの送受信を行うためのインターフェースである。電極７４は、カセッテ７の筐体側面等の画像撮影領域外に設けられ、電極７４に撮影者が接触することにより、データ通信が行われる。
【０１１４】
ＰＣ用通信端子７５は、ＰＣ等と接続して通信するためのインターフェースであり、ＰＣ等とのコネクタである。ＰＣ用通信端子７５は、通信部７１のＰＣ等との通信を行う通信装置と接続されている。
【０１１５】
カセッテ７のメモリには、予め撮影関連データが記憶されている。撮影関連データの登録は、ＰＣ等とカセッテ７とを接続した状態で、ＰＣ等からデータを入力することにより行われる。なお、第２の実施の形態においては、カセッテ７内のメモリに撮影画像データが記憶されているのではなく、カセッテ７をリーダに通すことにより、撮影画像データが得られるため、ウェアラブル機器３によりカセッテ７から取得されるデータには、撮影画像データは含まれない。
【０１１６】
第２の実施の形態のＸ線写真撮影者支援システムにおける動作は、第１の実施の形態に示したＸ線写真撮影者支援システム１におけるカセッテ型ＦＰＤ２がカセッテ７であることと、ウェアラブル機器３によりカセッテ７から取得される対象となるデータが撮影関連データのみであることを除いて、第１の実施の形態に示したＸ線写真撮影者支援システム１の動作と同様であるため、説明を省略する。
【０１１７】
第２の実施の形態におけるＸ線写真撮影者支援システムによれば、カセッテ７と人体とが接触することにより、ウェアラブル機器３は、人体を伝送路としてカセッテ７から撮影関連データを取得するので、撮影者は、患者名、撮影部位、撮影者、撮影日時等の撮影関連データを簡単に確認することができる。
【０１１８】
なお、上記各実施の形態における記述は、本発明に係る好適なＸ線写真撮影者支援システムの例であり、これに限定されるものではない。Ｘ線写真撮影者支援システムを構成する各装置の細部構成及び細部動作に関しても本発明の趣旨を逸脱することのない範囲で適宜変更可能である。
【０１１９】
例えば、上記各実施の形態においては、ウェアラブル機器３として腕時計型のウェアラブル機器について説明したが、これに限定されず、取得した情報を音声出力するヘッドフォン型のウェアラブル機器や、頭部周辺へ眼鏡のように装着し、レンズ部分に映像を映し出すヘッドマウントディスプレイや、人体に装着可能に構成されたＰＤＡ等であってもよい。ヘッドフォンにより、撮影関連データや、記録装置が未撮影であることを音声出力したり、ヘッドマウントディスプレイやＰＤＡの表示画面上にＸ線撮影画像データや撮影関連データを表示したりすることができる。
【０１２０】
また、上記各実施の形態においては、カセッテ型ＦＰＤ２又はカセッテ７等の記録装置と、ウェアラブル機器３とのデータ通信について説明したが、同一の人体に装着された複数のウェアラブル機器同士で人体を伝送路としてデータ通信を行うこととしてもよい。記録装置と複数のウェアラブル機器における複数のデータ通信における信号を区別するために、異なる周波数で通信を行ったり、データのコードを変えたり、送信先の機器情報をヘッダに記録する等の方法を用いることができる。これにより、複数のウェアラブル機器によりデータの共有が可能となり、他のウェアラブル機器により取得された情報を別のウェアラブル機器によって表示、音声出力、又は保存することができる。
【０１２１】
また、上記各実施の形態においては、人体を伝送路としたデータ通信について説明したが、人体以外の生体を伝送路としてもよい。
【図面の簡単な説明】
【０１２２】
【図１】第１の実施の形態のＸ線写真撮影者支援システム１を示す概略図である。
【図２】カセッテ型ＦＰＤ２の機能的構成を示すブロック図である。
【図３】ウェアラブル機器３の機能的構成を示すブロック図である。
【図４】送信器４の機能的構成を示すブロック図である。
【図５】受信器５の機能的構成を示すブロック図である。
【図６】送受信器６の機能的構成を示すブロック図である。
【図７】Ｘ線写真撮影者支援システム１によって実行される撮影関連データ及び撮影画像データの通信処理を示すフローチャートである。
【図８】データ要求時のウェアラブル機器３及びカセッテ型ＦＰＤ２の状態遷移図である。
【図９】データ通信時のカセッテ型ＦＰＤ２及びウェアラブル機器３の状態遷移図である。
【図１０】データ受信完了時のウェアラブル機器３及びカセッテ型ＦＰＤ２の状態遷移図である。
【図１１】第２の実施の形態のＸ線写真撮影者支援システムにおけるカセッテ７の機能的構成を示すブロック図である。
【符号の説明】
【０１２３】
１  Ｘ線写真撮影者支援システム
２  カセッテ型ＦＰＤ
２１  電源
２２  通信部
２３  制御部
２４  撮像パネル
２５  メモリ
２６  充電用端子
２７  電力受信用アンテナ
２８  電極
２９  ＰＣ用通信端子
３  ウェアラブル機器
３１  電源
３２  通信部
３３  操作部
３４  制御部
３５  表示部
３６  メモリ
３７  充電用端子
３８  電力送信用アンテナ
３９  電極
４０  ＰＣ用通信端子
４  送信器
５  受信器
６  送受信器
７  カセッテ
７１  通信部
７２  輝尽性蛍光体
７３  電力受信用アンテナ
７４  電極
７５  ＰＣ用通信端子
【図１】
2005124618.tif 000003
【図２】
2005124618.tif 000004
【図３】
2005124618.tif 000005
【図４】
2005124618.tif 000006
【図５】
2005124618.tif 000007
【図６】
2005124618.tif 000008
【図７】
2005124618.tif 000009
【図８】
2005124618.tif 000010
【図９】
2005124618.tif 000011
【図１０】
2005124618.tif 000012
【図１１】
2005124618.tif 000013